(57)【要約】【課題】本発明は、広角撮影を行うときにも、また望遠撮影を行うときにも、鏡胴内等の反射に起因する有害光を減少させて、フレアなどの発生を防止させる。【解決手段】第１回転筒７、第２回転筒１０などが回転させられて、鏡胴３の長さが調整され、変倍光学系２が望遠撮影状態にされるとき、第１回転筒７、第２回転筒１０などと一体となって回転するカム溝筒１９によって、第１遮光枠３０をＣＣＷ方向に付勢させて、第１遮光枠３０に形成されている開口部２８を角度“０”〜“θａ”の範囲で、回転させるとともに、第２遮光枠３６をＣＷ方向に付勢させて、第２遮光枠３６に形成されている開口部２８を角度“０”〜“θｂ”の範囲で、回転させて、レンズ枠２４に形成されている開口部２２の四隅をカットさせる。【選択図】　　　図１
2004117402.tif 000002
【特許請求の範囲】
【請求項１】
複数のレンズ群によって構成された変倍光学系を持つカメラにおいて、
前記変倍光学系を収納する可変長型の鏡胴と、
前記変倍光学系を構成している後群レンズの射出面側に配置され、前記変倍光学系の倍率に応じて開口形状を変化させる有害光カット手段と、を備えたことを特徴とするカメラ。
【請求項２】
請求項１に記載のカメラにおいて、
前記有害光カット手段は、略広角時の開口を持つ二枚の有害光カット部材を持ち、これら各有害光カット部材を相異なる方向へ回転させて望遠撮影時の有害光をカットさせることを特徴とするカメラ。
【請求項３】
請求項２に記載のカメラにおいて、
前記鏡胴は、同心状に配置される複数の回転筒と同心状に配置され前記各回転筒が回転させられたとき光軸方向に移動する複数の直進筒とを有し、前記変倍光学系を変倍させ前記各回転筒のいずれかが回転させられたとき前記各直進筒によって前記変倍光学系の各レンズ群の少なくともいずれか１つ以上を光軸方向に移動させながら前記各回転筒のいずれかによって前記各有害光カット部材を相異なる方向へ回転させることを特徴とするカメラ。
【請求項４】
請求項２に記載のカメラにおいて、
前記鏡胴は、同心状に配置された複数の直進筒を有し、前記変倍光学系を変倍させるとき各直進筒によって前記変倍光学系の各レンズ群の少なくともいずれか１つ以上を光軸方向に移動させながら各直進筒の移動差によって前記各有害光カット部材を相異なる方向へ回転させることを特徴とするカメラ。
【発明の詳細な説明】
【０００１】
【発明の属する技術分野】
本発明は、変倍光学系を持つカメラに係わり、特に広角撮影を行うときにもまた望遠撮影を行うときにも、フレアが発生しないようにしたカメラに関する。
【０００２】
【従来の技術】
カメラに取り付けられる変倍光学系として、従来、図１２に示すものが知られている。
この図に示す変倍光学系１００は、６枚のレンズ１０１〜１０６によって構成される６群６枚構成の光学系であり、図１３、図１４に示す如くレンズ１０１〜１０４からなる第１群レンズ１０７と、レンズ１０５と１０６からなる第２群レンズ１０８との間隔を変化させて倍率を変更させることにより、広角撮影でも、望遠撮影でも行えるようになっている。
そして、このような変倍光学系１００では、広角撮影時、望遠撮影時に、光軸に入射する光線束（中心光束）、３５ｍｍフィルムに対応するアパーチャサイズが２４×３６のとき、短辺（＝２４）に入射する光線束（短辺光束）、アパーチャサイズが２４×３６のとき、長辺（＝３６）に入射する光線束（長辺光束）、アパーチャサイズが２４×３６のとき、対角に入射する光線束（対角光束）など、撮影に必要な光束（以下、これらを必要光束と呼ぶ）の内側に、各レンズ１０１〜１０６を支持する部材、変倍させるための部材などが入らないように、これら各部材を配置しなければならない。
【０００３】
【発明が解決しようとする課題】
ところで、近年、各レンズ１０１〜１０６などを支持している鏡胴などを小型化させてカメラ全体を小型化させることが多く、鏡胴の先端部分にフードなどを取り付けることが難しい。
このため、変倍光学系１００を望遠にさせて、太陽光などのような強烈な光源側にある被写体を撮影しているとき、強烈な光がファインダ内に入らないようにしているときでも、太陽光がレンズ端面、鏡胴内壁などに反射して、その反射光がフィルムに到達し、フレアが発生してしまうという問題があった。
そこで、このような変倍光学系１００では、図１５に示す如く鏡胴１０９内部のうち、対角光束の外側となる各部分（フレア発生源部分１１０）に凹凸を付けさせるとともに、無反射塗料を塗布させて、反射率を低減させることにより、反射光を拡散させたり、望遠撮影時における短辺光束の外側に有害光カットシート１１１を配置させて有害光束をカットさせたりさせて、フレアの発生を防止させている。
しかしながら、このような変倍光学系１００を使用するときには、図１６に示す如く広角撮影を行うときにも、第１群レンズ１０８と有害光カットシート１１１とがぶつからないように、有害光カットシート１１１を配置させなければならないことから、変倍光学系１００の移動行程が大きいとき、端部１１２に有害光カットシート１１１を配置させることができないのみならず、端部１１３に取り付けた有害光カットシート１１１によって、短辺光束などがカットされないよう、有害光カットシート１１１を小さくしなければならない。
このため、このような変倍光学系１００では、有害光カットシート１１１を使用して、フレアを防止させるようにしても、望遠撮影を行うとき、対角方向からの有害光をカットさせることが難しく、フレアを防止させることができないというという問題があった。
本発明は上記の事情に鑑み、請求項１では、倍率などが変更されたとき、倍率などに対応させて、出射開口形状を変更させ、広角撮影を行うときにも、また望遠撮影を行うときにも、鏡胴内等の反射に起因する有害光を減少させて、フレアなどの発生を防止させることができるカメラを提供することを目的としている。
【０００４】
また、請求項２では、倍率などが変更されて、望遠撮影状態にされたとき、入射開口の四隅部分をカットさせて、鏡胴内等の反射に起因する有害光を減少させ、フレアなどの発生を防止させることができるカメラを提供することを目的としている。
また、請求項３では、第１回転筒、第２回転筒などが回転させられて、第１直進筒と第２直進筒との位置関係が調整され、変倍光学系の倍率などが変更されたとき、倍率などに対応させて、出射開口形状を機械的に変更させ、広角撮影を行うときにも、また望遠撮影を行うときにも、鏡胴内等の反射に起因する有害光を減少させて、フレアなどの発生を防止させることができるカメラを提供することを目的としている。
また、請求項４では、第１直進筒と第２直進筒との位置関係が調整されて、変倍光学系の倍率などが変更されたとき、倍率などに対応させて、出射開口形状を機械的に変更させ、広角撮影を行うときにも、また望遠撮影を行うときにも、鏡胴内等の反射に起因する有害光を減少させて、フレアなどの発生を防止させることができるカメラを提供することを目的としている。
【０００５】
【課題を解決するための手段】
上記の目的を達成するために本発明は、請求項１では、複数のレンズ群によって構成された変倍光学系を持つカメラにおいて、前記変倍光学系を収納する可変長型の鏡胴と、前記変倍光学系を構成している後群レンズの射出面側に配置され、前記変倍光学系の倍率に応じて開口形状を変化させる有害光カット手段とを備えたことを特徴としている。
また、請求項２では、請求項１に記載のカメラにおいて、前記有害光カット手段は、略広角時の開口を持つ二枚の有害光カット部材を持ち、これら各有害光カット部材を相異なる方向へ回転させて、望遠撮影時の有害光をカットさせることを特徴としている。
また、請求項３では、請求項２に記載のカメラにおいて、前記鏡胴は、同心状に配置される複数の回転筒と、同心状に配置され、前記各回転筒が回転させられたとき、光軸方向に移動する複数の直進筒とを有し、前記変倍光学系を変倍させるとき、前記各回転筒のいずれかが回転させられたとき、前記各直進筒によって、前記変倍光学系の各レンズ群の少なくとも、いずれか１つ以上を光軸方向に移動させながら、前記各回転筒のいずれかによって、前記各有害光カット部材を相異なる方向へ回転させることを特徴としている。
また、請求項４では、請求項２に記載のカメラにおいて、前記鏡胴は、同心状に配置された複数の直進筒を有し、前記変倍光学系を変倍させるとき、各直進筒によって、前記変倍光学系の各レンズ群の少なくとも、いずれか１つ以上を光軸方向に移動させながら、各直進筒の移動差によって、前記各有害光カット部材を相異なる方向へ回転させることを特徴としている。
【０００６】
【発明の実施の形態】
以下、本発明を図面に示した実施の形態により詳細に説明する。
図１は本発明によるカメラの一形態で使用される変倍光学系、鏡胴部分の詳細な構成例を示す要部断面図ある。
この図に示すカメラ（鏡胴）１は、指定された倍率で被写体からの光束を集光させる変倍光学系２と、シャッタが押されたとき被写体からの光束を透過させるシャッタ機構などが収納される鏡胴３と、変倍光学系２の出射面側に配置されこの変倍光学系２が変倍されたとき出射面側の開口形状を調整する遮光手段４とを備えており、鏡胴３の長さが調整されて変倍光学系２が望遠撮影状態にされるとき遮光手段４によって出射面側の開口形状を調整して撮影に不要な有害光をカットさせながら、撮影を行わせる。
前記鏡胴３は、筒部材によって構成され、変倍光学系２を構成している第１群レンズ５、被写体からの光束を透過させるシャッタ機構などが取り付けられる第１直進筒６と、この第１直進筒６に回転自在に挿通される第１回転筒７と、変倍光学系２を構成している第２群レンズ１２などが収納され、直線案内部８などによって第１直進筒７にスライド自在に挿入され、第１回転筒７が回転したとき変倍光学系２の出射面側に繰り出される第２直進筒９と、第１回転筒７に回転自在に挿通される第２回転筒１０と、直線案内部１１などによって第２直進筒９にスライド自在に挿入され、第２回転筒１０が回転したとき変倍光学系２の出射面側に繰り出される第３直進筒１３と、第２回転筒１０にスライド自在に挿入される固定筒１４と、第１回転筒７などの内周面側に配置され、図２に示す如く第１回転筒７、第２回転筒１０などが回転させられたとき、第１群レンズ５、第２群レンズ１２の位置を調整する３本の第１群カム溝１５、３本の第２群カム溝１６、第２群カム溝１６に対し、望遠撮影位置で角度“θａ”だけ位相が遅れるように形成され、遮光手段４に回転力を与える第１遮光カム溝１７、第２群カム溝１６に対し、望遠撮影位置で、角度“θｂ”だけ位相が進むように形成され、遮光手段４に回転力を与える第２遮光カム溝１８が形成されたカム溝筒１９と、を備えており、第１回転筒７、第２回転筒１０などが回転させられて、第２直進筒９、第３直進筒１３が繰り出されたとき、第１群レンズ５の位置と、第２群レンズ１２の位置とを調整して、広角撮影、望遠撮影などを行わせながら、遮光手段４を駆動して、出射面側の開口形状を調整し、撮影に不要な有害光をカットさせる。
【０００７】
遮光手段４は、図３に示す如く直進案内部８の端部に固定され、第２群レンズ１２を支持する枠部２０、図４に示す如く枠部２０の外周部分に取り付けられ、第１回転筒７、第２回転筒１０などが回転させられて、カム溝筒１９がＣＣＷ方向（反時計方向）に回転したとき、各第２群カム溝１６によって付勢されて、枠部２０を光軸方向に移動させる３つの駆動軸２１、印刷、塗装、シート材などによって、周辺部分が遮光されて、中央部分に広角撮影に必要な開口部２２が形成された面部２３などによって構成されるレンズ枠２４と、図５に示す如くレンズ枠２４の外周部に回転自在にはめ込まれる３つの係止部２５が形成された枠部２６、枠部２６の外周部分に取り付けられ、第１回転筒７、第２回転筒１０などが回転させられて、カム溝筒１９がＣＣＷ方向に回転したとき、第１遮光カム溝１７によって付勢されて、枠部２６をＣＣＷ方向に回転させる駆動軸２７、印刷、塗装、シート材などによって、周辺部分が遮光されて、中央部分に広角撮影に必要な開口部２８が形成された面部２９などによって構成される第１遮光枠３０と、図６に示す如くレンズ枠２４の外周部に回転自在にはめ込まれる３つの係止部３１が形成された枠部３２、枠部３２の外周部分に取り付けられ、第１回転筒７、第２回転筒１０などが回転させられて、カム溝筒１９がＣＣＷ方向に回転したとき、第２遮光カム溝１８によって付勢されて、枠部３２をＣＷ方向（時計方向）に回転させる駆動軸３３、印刷、塗装、シート材などによって、周辺部分が遮光されて、中央部分に広角撮影に必要な開口部３４が形成された面部３５などによって構成される第２遮光枠３６と、を備えている。
そして、第１回転筒７、第２回転筒１０などがＣＣＷ方向に回転させられ、第１回転筒７、第２回転筒１０などと一体となって回転するカム溝筒１９に形成された各第２群カム溝１６によって、レンズ枠２４に形成された各駆動軸２１が付勢されて、第２群レンズ１２が繰り出され、鏡胴３内に収納されている変倍光学系２が収納状態から望遠撮影状態にされるとき、図７に示す如くカム溝筒１９に形成された第１遮光カム溝１７により、第１遮光枠３０に設けられた駆動軸２７がＣＣＷ方向に回転付勢されて、角度“０”〜“θａ”の範囲で回転させられるとともに、カム溝筒１９に形成された第２遮光カム溝１８により、第２遮光枠３６に設けられた駆動軸３３がＣＷ方向に回転付勢されて、角度“０”〜“θｂ”の範囲で、回転させられる。
これにより、図８に示す如く変倍光学系２の倍率に応じて、レンズ枠２４に形成された開口部２２の各隅部分３７、３８、３９、４０が各々遮光され、望遠撮影時の有害光がカットされ、フレアの発生が防止させられる。
【０００８】
このように、この形態では、第１回転筒７、第２回転筒１０などが回転させられて、鏡胴３の長さが調整され、変倍光学系２が望遠撮影状態にされるとき、第１回転筒７、第２回転筒１０などと一体となって回転するカム溝筒１９によって、第１遮光枠３０をＣＣＷ方向に付勢させて、第１遮光枠３０に形成されている開口部２８を角度“０”〜“θａ”の範囲で回転させるとともに、第２遮光枠３６をＣＷ方向に付勢させて第２遮光枠３６に形成されている開口部２８を角度“０”〜“θｂ”の範囲で回転させるようにしているので、変倍光学系２が望遠撮影状態にされているとき、レンズ枠２４に形成されている開口部２２の四隅を遮光させて、望遠撮影時の有害光をカットさせ、フレアの発生を防止させることができる。
また、上述した形態では、第１回転筒７、第２回転筒１０が回転させられて、鏡胴３の長さが調整され、変倍光学系２が望遠撮影状態にされるとき、第１回転筒７、第２回転筒１０などと一体となったカム溝筒１９を回転させて、第１遮光枠３０をＣＣＷ方向に回転させ、第２遮光枠３６をＣＷ方向に回転させるようにしているが、このようなカム溝筒１９に代えて、図９に示す如く第１群レンズ５が固定された第１直進筒６に対して、回転することなく直進する第２直進筒１３に、望遠撮影位置で、角度“θａ”だけ、ＣＣＷ方向にずれるように第１遮光カム溝４１を形成させるとともに、望遠撮影位置で、角度“θｂ”だけ、ＣＷ方向にずれるように第２遮光カム溝４２を形成させ、図１０に示す如くこれら第１遮光カム溝４１、第２遮光カム溝４２に、第１遮光枠３０の駆動軸２７、第２遮光枠３６の駆動軸３３を各々、はめ込ませるようにしても良い。
このように構成させても、第２直進筒１３が繰り出されて、変倍光学系２が望遠撮影状態にされるとき、図１１に示す如く第１遮光カム溝４１によって第１遮光枠３０をＣＣＷ方向に付勢させて、第１遮光枠３０に形成されている開２８口部２８を角度“０”〜“θａ”の範囲で回転させるとともに、第２遮光カム溝４２によって第２遮光枠３６をＣＷ方向に付勢させて、第２遮光枠３６に形成されている開口部３４を角度“０”〜“θｂ”の範囲で回転させて、レンズ枠２４に形成されている開口部２２の四隅を遮光させ、望遠撮影時の有害光をカットさせ、フレアの発生を防止させることができる。
【０００９】
【発明の効果】
以上説明したように本発明によれば、請求項１のカメラでは、倍率などが変更されたとき、倍率などに対応させて、出射開口形状を変更させ、広角撮影を行うときにも、また望遠撮影を行うときにも、鏡胴内等の反射に起因する有害光を減少させて、フレアなどの発生を防止させることができる。
また、請求項２のカメラでは、倍率などが変更されて、望遠撮影状態にされたとき、入射開口の四隅部分をカットさせて、鏡胴内等の反射に起因する有害光を減少させ、フレアなどの発生を防止させることができる。
また、請求項３のカメラでは、第１回転筒、第２回転筒などが回転させられて、第１直進筒と第２直進筒との位置関係が調整され、変倍光学系の倍率などが変更されたとき、倍率などに対応させて、出射開口形状を機械的に変更させ、広角撮影を行うときにも、また望遠撮影を行うときにも、鏡胴内等の反射に起因する有害光を減少させて、フレアなどの発生を防止させることができる。
また、請求項４のカメラでは、第１直進筒と第２直進筒との位置関係が調整されて、変倍光学系の倍率などが変更されたとき、倍率などに対応させて、出射開口形状を機械的に変更させ、広角撮影を行うときにも、また望遠撮影を行うときにも、鏡胴内等の反射に起因する有害光を減少させて、フレアなどの発生を防止させることができる。
【図面の簡単な説明】
【図１】本発明によるカメラの一形態で使用される変倍光学系、鏡胴部分の詳細な構成例を示す要部断面図ある。
【図２】図１に示すカム溝筒の詳細な構成例を示す展開図である。
【図３】図１に示す遮光手段の詳細な構成例を示す要部断面図である。
【図４】図１に示すレンズ枠の詳細な構成例を示す正面図である。
【図５】図１に示す第１遮光枠の詳細な構成例を示す正面図である。
【図６】図１に示す第２遮光枠の詳細な構成例を示す正面図である。
【図７】図１に示す遮光手段の動作例を示す正面図である。
【図８】図１に示す遮光手段の遮光効果例を示す模式図である。
【図９】本発明によるカメラの他の一形態で使用される第２直進筒の詳細な構成例を示す展開図である。
【図１０】図９に示す第２直進筒と、第１遮光枠と、第２遮光枠との関係例を示す正面図である。
【図１１】図９に示す第２直進筒を用いた遮光手段の動作例を示す正面図である。
【図１２】一般的に変倍光学系の一例を示す概略構成図である。
【図１３】図１２に示す変倍光学系の各光束例を示す模式図である。
【図１４】図１２に示す変倍光学系の各光束例を示す模式図である。
【図１５】図１２に示す変倍光学係を使用したカメラで、望遠撮影を行うときの光束例を示す要部断面図である。
【図１６】図１２に示す変倍光学係を使用したカメラで、広角撮影を行うときの光束例を示す要部断面図である。
【符号の説明】
１：カメラ、２：変倍光学系、３：鏡胴、４：遮光手段、５：第１群レンズ、６：第１直進筒、７：第１回転筒、８：直線案内部、９：第２直進筒、１０：第２回転筒、１１：直線案内部、１２：第２群レンズ、１３：第３直進筒、１４：固定筒、１５：第１群カム溝、１６：第２群カム溝、１７：第１遮光カム溝、１８：第２遮光カム溝、１９：カム溝筒、２０：枠部、２１：駆動軸、２２：開口部、２３：面部、２４：レンズ枠、２５：係止部、２６：枠部、２７：駆動軸、２８：開口部、２９：面部、３０：第１遮光枠、３１：係止部、３２：枠部、３３：駆動軸、３４：開口部、３５：面部、３６：第２遮光枠、３７：隅部分、３８：隅部分、３９：隅部分、４０：隅部分、４１：第１遮光カム溝、４２：第２遮光カム溝
【図１】
2004117402.tif 000003
【図２】
2004117402.tif 000004
【図３】
2004117402.tif 000005
【図４】
2004117402.tif 000006
【図５】
2004117402.tif 000007
【図６】
2004117402.tif 000008
【図７】
2004117402.tif 000009
【図８】
2004117402.tif 000010
【図９】
2004117402.tif 000011
【図１０】
2004117402.tif 000012
【図１１】
2004117402.tif 000013
【図１２】
2004117402.tif 000014
【図１３】
2004117402.tif 000015
【図１４】
2004117402.tif 000016
【図１５】
2004117402.tif 000017
【図１６】
2004117402.tif 000018